(57)【特許請求の範囲】
【請求項１】
端末装置の温度を計測する温度計測部と、
前記端末装置がユーザにより使用されていることを示す使用状態であるか使用されていないことを示す不使用状態であるかを判定する判定部と、
前記不使用状態であると判定された場合には、計測された前記温度が閾値に達すると前記端末装置の発熱を抑制する制御を行い、前記使用状態であると判定された場合には、計測された前記温度が前記閾値より高い他の閾値に達すると前記制御を行う抑制制御部と
を備える端末装置。
【請求項２】
前記端末装置の姿勢又は位置の変化を計測する変化計測部と、
前記端末装置への物体の接触を検知する接触検知部と
を備え、
前記判定部は、前記物体の接触が検知された期間に計測された前記姿勢又は位置の変化に基づいて、前記不使用状態かどうかを判定する
ことを特徴とする請求項１に記載の端末装置。
【請求項３】
所定のタイミングで前記ユーザへ報知を行う報知部と、
前記報知に対する前記ユーザからの応答を受け付ける応答受付部と
を備え、
前記判定部は、
前記応答が受け付けられなかった場合には、前記不使用状態と判定する
ことを特徴とする請求項１又は請求項２に記載の端末装置。
【請求項４】
前記端末装置の状態を特定する端末状態特定部を備え、
前記判定部は、
特定された前記端末装置の状態に基づいて、前記不使用状態かどうかを判定する
ことを特徴とする請求項１から請求項３のいずれか１項に記載の端末装置。
【請求項５】
前記端末装置が備える撮像部の撮像範囲における前記ユーザの顔の認識状況又は前記ユーザの位置を含む前記ユーザの状態を特定するユーザ状態特定部を備え、
前記判定部は、
特定された前記認識状況又は前記位置に基づいて、前記使用状態であるか前記不使用状態であるかを判定する
ことを特徴とする請求項１から請求項４のいずれか１項に記載の端末装置。
【請求項６】
前記制御は複数あり、
前記抑制制御部は、前記使用状態であると判定された場合には、計測された前記温度が前記他の閾値に達すると前記複数の制御のうち第１数の制御を行い、前記不使用状態であると判定された場合には、計測された前記温度が前記閾値に達すると前記複数の制御のうち前記第１数より多い第２数の制御を行う
請求項１から請求項５のいずれか１項に記載の端末装置。
【請求項７】
自端末装置の温度を計測する温度計測部を有する端末装置のコンピュータに、
前記端末装置がユーザにより使用されていることを示す使用状態であるか使用されていないことを示す不使用状態であるかを判定するステップと、
前記不使用状態であると判定された場合には、計測された前記温度が閾値に達すると前記端末装置の発熱を抑制する制御を行い、前記使用状態であると判定された場合には、計測された前記温度が前記閾値より高い他の閾値に達すると前記制御を行うステップと
を実行させるためのプログラム。
【発明の詳細な説明】
【技術分野】
【０００１】
本発明は、端末装置の温度の上昇を抑制する技術に関する。
【背景技術】
【０００２】
スマートフォン等の端末装置では、小型化、薄型化、高機能化、及びバッテリーの高容量化が進んでいる。これらは、端末装置の発熱量を増大させ、更に当該端末装置の表面温度を上昇させる原因となり得る。端末装置の温度の上昇を抑制する技術として、温度センサで計測した端末装置の温度が、所定の温度閾値に達した場合に、当該端末装置の機能の実行を制限する技術がある。温度の上昇を抑制するという観点では、温度閾値はなるべく低く設定されることが望ましい。しかし、温度閾値が低くなるほど、端末装置の機能の実行が制限される頻度が高くなり、ユーザによる端末装置の利用の妨げとなることがある。
【０００３】
特許文献１には、電子装置の発熱部分において一定時間以上の人体の接触を検出した場合には、温度閾値を超えたときに装置内部の温度を低下させる制御を行い、接触を検出しない場合には、その温度閾値を超えたとしても機能制限をかけないことが記載されている。特許文献２には、携帯端末装置をユーザが手に持っていないと判断した場合には、充電発熱制御を無効にし、手に持っていると判断した場合には、携帯端末装置を手から離すように促す警告を行うことが記載されている。特許文献３には、緊急通信中であれば、緊急通信以外の動作を強制的に停止し、それ以外の場合は端末の温度が高いことを報知することが記載されている。
【先行技術文献】
【特許文献】
【０００４】
【特許文献１】特開２０１０−１２４２４６号公報
【特許文献２】特開２０１４−２１２５９４号公報
【特許文献３】特開２００７−４３４２２号公報
【発明の概要】
【発明が解決しようとする課題】
【０００５】
特許文献１−３は、いずれも、ユーザが端末装置を使用中であるときの温度の上昇を抑制し、ユーザのやけどの発症を防止することを開示している。つまり、これらの技術は、ユーザの意識が端末装置に向いている期間でのやけどを防止することを目的としている。しかし、低温やけどは、現に接触している熱源の熱を人間があまり知覚しない場合でも、長時間にわたって同一の部位にその熱源が接触することで発症することが知られている。
そこで、本発明の目的は、ユーザの気付かぬうちに、端末装置の温度がやけどを発症し得る温度に上昇してしまうのを防ぐための技術を提供することを目的とする。
【課題を解決するための手段】
【０００６】
上述した課題を解決するため、本発明の端末装置は、端末装置の温度を計測する温度計測部と、前記端末装置がユーザにより使用されていないことを示す不使用状態かどうかを判定する判定部と、前記不使用状態と判定された期間において、計測された前記温度が所定の条件を満たした場合には、前記端末装置の発熱を抑制する制御を行う抑制制御部とを備える。
【０００７】
本発明の端末装置において、前記端末装置の姿勢又は位置の変化を計測する変化計測部と、前記端末装置への物体の接触を検知する接触検知部とを備え、前記判定部は、前記物体の接触が検知された期間に計測された前記姿勢又は位置の変化に基づいて、前記不使用状態かどうかを判定してもよい。
本発明の端末装置において、所定のタイミングで前記ユーザへ報知を行う報知部と、前記報知に対する前記ユーザからの応答を受け付ける応答受付部とを備え、前記判定部は、前記応答が受け付けられなかった場合には、前記不使用状態と判定してもよい。
本発明の端末装置において、前記端末装置の状態を特定する端末状態特定部を備え、前記判定部は、特定された前記端末装置の状態に基づいて、前記不使用状態かどうかを判定してもよい。
本発明の端末装置において、前記ユーザの状態を特定するユーザ状態特定部を備え、前記判定部は、特定された前記ユーザの状態に基づいて、前記不使用状態かどうかを判定してもよい。
【０００８】
本発明のプログラムは、自端末装置の温度を計測する温度計測部を有する端末装置のコンピュータに、前記端末装置がユーザにより使用されていないことを示す不使用状態かどうかを判定するステップと、前記不使用状態と判定された期間において、計測された前記温度が所定の条件を満たした場合には、前記端末装置の発熱を抑制する制御を行うステップとを実行させるためのプログラムである。
【発明の効果】
【０００９】
本発明によれば、ユーザの気付かぬうちに、端末装置の温度がやけどを発症し得る温度に上昇してしまうのを防ぐための技術を提供することができる。
【図面の簡単な説明】
【００１０】
【図１】本発明の一実施形態に係る端末装置の正面図。
【図２】同実施形態に係る端末装置の構成を示すブロック図。
【図３】同実施形態に係る端末装置が実行する全体的な処理の流れを示すフローチャート。
【図４】同実施形態に係る発熱抑制処理の説明図。
【図５】同実施形態に係る不使用状態判定処理の処理例１を示すフローチャート。
【図６】同実施形態に係る不使用状態判定処理の処理例２を示すフローチャート。
【図７】同実施形態に係る不使用状態判定処理の処理例３を示すフローチャート。
【図８】同実施形態に係る不使用状態判定処理の処理例４を示すフローチャート。
【発明を実施するための形態】
【００１１】
以下、図面を参照して本発明の実施形態を説明する。
図１は、本発明の一実施形態に係る端末装置１０の正面図である。端末装置１０は、ユーザが手に持って使用する、携帯型の端末装置である。端末装置１０は、本実施形態ではスマートフォンである。端末装置１０は、マイクロホン１０５、及びスピーカ１０６を正面に備える。マイクロホン１０５は、送話音声を入力するための装置である。マイクロホン１０５は、通話するユーザの口の近傍に位置するように配置される。スピーカ１０６は、受話音声を出力するための装置である。
【００１２】
端末装置１０は、更に、表示領域１０２１Ａ、及び近接センサ１１０を正面に備える。表示領域１０２１Ａは、後述する表示部１０２１の画像（画面）が表示される領域である。近接センサ１１０は、ここではスピーカ１０６に隣り合って設けられ、物体の近接及び接触を検知するセンサである。
【００１３】
図２は、端末装置１０の構成を示すブロック図である。図２に示すように、端末装置１０は、ハードウェア回路として、制御部１０１と、タッチスクリーン部１０２と、ネットワーク通信部１０３と、近距離無線通信部１０４と、マイクロホン１０５と、スピーカ１０６と、記憶部１０７と、温度センサ１０８と、加速度センサ１０９と、近接センサ１１０と、撮像部１１１と、測位部１１２と、クロック信号生成部１１３と、電源制御部１１４と、電池１１５とを備える。
制御部１０１は、演算処理装置としてのＣＰＵ（Central Processing Unit）、ＲＯＭ（Read Only Memory）、及びワークエリアとしてのＲＡＭ（Random Access Memory）を備えるプロセッサである。ＣＰＵは、ＲＯＭ又は記憶部１０７に記憶されたプログラムを、ＲＡＭに読み出して実行することにより、端末装置１０の各部を制御する。
【００１４】
タッチスクリーン部１０２は、表示部１０２１とタッチセンサ１０２２とを備える。表示部１０２１は、例えば液晶ディスプレイで、表示領域１０２１Ａ（図１参照）に画像を表示する。タッチセンサ１０２２は、表示領域１０２１Ａに重ねて面状に設けられたセンサで、表示領域１０２１Ａに行われたユーザの操作を、所定の方式（例えば、抵抗膜方式又は静電容量方式）に従って受け付ける。
【００１５】
ネットワーク通信部１０３は、無線通信回路及びアンテナを有し、移動通信網等のネットワークに接続して無線通信を行う。近距離無線通信部１０４は、無線通信回路及びアンテナを有し、所定の規格に従って、ネットワークを介さずに外部の通信装置と近距離無線通信を行う。近距離無線通信の規格は、例えばＢｌｕｅｔｏｏｔｈ（登録商標）であるが、それ以外の規格であってもよい。
【００１６】
マイクロホン１０５は、ユーザにより入力された音声を音声信号に変換して、制御部１０１に出力する。スピーカ１０６は、供給された音声信号を音声に変換して出力する。
【００１７】
記憶部１０７は、例えばＥＥＰＲＯＭ（Electronically Erasable and Programmable ROM）又はフラッシュメモリを有し、各種のデータを記憶する。記憶部１０７は、端末装置１０にインストールされたＯＳ（Operating System）、及びＯＳ上で動作する各種のプログラムを記憶する。
【００１８】
温度センサ１０８は、端末装置１０の温度を計測する温度計測部に相当する。温度センサ１０８は、計測した温度を示す温度データを、制御部１０１に出力する。温度センサ１０８は、端末装置１０の内部の温度を計測するもので、例えば、熱源となるハードウェア回路の一つである制御部１０１の温度を計測する。ただし、温度センサ１０８は、端末装置１０の表面温度を、直接的又は間接的に把握できる箇所の温度を計測すればよい。
【００１９】
加速度センサ１０９は、例えば３軸の加速度センサであり、端末装置１０に作用した加速度を計測するセンサである。加速度センサ１０９は、端末装置１０の姿勢又は位置の変化を計測する変化計測部に相当する。加速度センサ１０９は、計測した加速度を示す加速度データを、制御部１０１に出力する。
【００２０】
近接センサ１１０は、例えば誘導形のセンサで、物体の近接及び接触（密着）を検知するセンサである。近接センサ１１０は、本実施形態では、物体の接触を検知する接触検知部として機能する。近接センサ１１０は、物体の接触の状態を示す接触状態データを、制御部１０１に出力する。
【００２１】
撮像部１１１は、撮像素子及びレンズを備え、撮像を行って、撮像した画像を表す撮像データを、制御部１０１に出力する。撮像部１１１のレンズは、ユーザを撮像可能な位置（例えば端末装置１０の正面）に設けられている。
【００２２】
測位部１１２は、例えばＧＰＳ（Global Positioning System）受信機を備え、端末装置１０の位置を測定する。測位部１１２は、測定した位置を示す位置データを、制御部１０１に出力する。測位部１１２は、ＧＰＳ方式に限られず、基地局測位等の他方式による測位を行ってもよい。
【００２３】
クロック信号生成部１１３は、所定のクロック周波数のクロック信号を生成し、制御部１０１に出力する。このクロック信号は、端末装置１０の各部が動作するために用いられる。
【００２４】
電源制御部１１４は、電池１１５から端末装置１０の各部への電力の供給を制御する。また、電源制御部１１４は、電池１１５の充電に関する制御を行う。電池１１５は、ここでは二次電池であり、端末装置１０の電源である。
【００２５】
次に、制御部１０１の機能構成を説明する。図２には、端末装置１０の温度を制御する機能（以下「温度制御機能」という。）に関する機能構成が示されている。制御部１０１は、プログラムを実行することにより、判定部１０１１と、抑制制御部１０１２と、報知部１０１３と、応答受付部１０１４と、端末状態特定部１０１５と、ユーザ状態特定部１０１６とに相当する機能を実現する。
【００２６】
判定部１０１１は、端末装置１０が不使用状態かどうかを判定する。本実施形態では、判定部１０１１は、端末装置１０が使用されていることを示す使用状態と、端末装置１０が使用されていないことを示す不使用状態とのどちらであるかを判定する。使用状態とは、ユーザが端末装置１０に情報を入力している状態、又はユーザが端末装置１０から出力された情報を利用している状態をいう。端末装置１０に入力される情報は、ここでは、ユーザが意識的に入力する情報（例えば、操作や音声によって入力する情報）である。端末装置１０から出力される情報は、ここでは、視覚的又は聴覚的にユーザによって知覚される情報（例えば、画像や音声）である。ユーザが情報を利用している状態とは、ユーザが意識的にこの情報を知覚している状態をいう。
【００２７】
不使用状態は、端末装置１０が使用状態でない状態を指すものとする。不使用状態として、例えば、端末装置１０の電源がオフの状態、ユーザが寝ている状態、ポケットや鞄に端末装置１０が入れられた状態等がある。
【００２８】
判定部１０１１は、例えば、近接センサ１１０により物体の接触が検知された期間に、加速度センサ１０９により計測された姿勢又は位置の変化に基づいて、不使用状態かどうかを判定する。ただし、判定部１０１１は、これ以外の情報に基づいて、不使用状態かどうかを判定する場合もある。
【００２９】
抑制制御部１０１２は、判定部１０１１により不使用状態と判定された期間において、温度センサ１０８により計測された温度が所定の条件を満たした場合には、端末装置１０の発熱を抑制する処理（以下「発熱抑制処理」という。）を行う。所定の条件は、ここでは、計測された温度が第２閾値ＴＨ２（第２閾値ＴＨ２＜第１閾値ＴＨ１）に達したことを示す。発熱抑制処理として、例えば以下の（１）−（５）がある。
（１）実行中のプログラム（例えばアプリケーションプログラム）の終了。
（２）クロック信号生成部１１３で生成されて制御部１０１に出力されるクロック信号の周波数の低下。
（３）電池１１５の充電の停止。
（４）表示部１０２１におけるバックライトの輝度の低下、又はバックライトの消灯。
（５）端末装置１０の電源オフ。
【００３０】
抑制制御部１０１２は、判定部１０１１により端末装置１０が使用状態と判定された期間においても、発熱抑制処理を行う。ただし、抑制制御部１０１２は、温度センサ１０８により計測された温度が第１閾値ＴＨ１に達したことを条件として、発熱抑制処理を行う。
【００３１】
報知部１０１３、応答受付部１０１４、端末状態特定部１０１５、及びユーザ状態特定部１０１６は、端末装置１０が不使用状態かどうかを判定するための機能である。
報知部１０１３は、所定のタイミングでユーザへの報知を行う。応答受付部１０１４は、報知部１０１３による報知に対するユーザからの応答を受け付ける。判定部１０１１は、この応答が受け付けられなかった場合には、端末装置１０が不使用状態と判定する。
【００３２】
端末状態特定部１０１５は、端末装置１０の状態を特定する。端末装置１０の状態は、例えば、端末装置１０の電力消費に関するモード（例えば、通常モード、スリープモード）、表示部１０２１におけるバックライトの点灯又は消灯、画像の表示の有無、操作の受け付けの有無である。また、端末装置１０の状態として、測位部１１２により測定される端末装置１０の位置がある。判定部１０１１は、特定された端末装置１０の状態に基づいて、端末装置１０が不使用状態かどうかを判定する。
【００３３】
ユーザ状態特定部１０１６は、端末装置１０のユーザの状態を特定する。ユーザの状態は、例えば、端末装置１０の周辺におけるユーザの存在の有無や、ユーザの身体の動きである。ユーザ状態特定部１０１６は、ここでは、撮像部１１１から取得した撮像データ、又は近距離無線通信部１０４を介してユーザが使用するウェラブル型端末から取得したデータに基づいて、ユーザの状態を判定する。判定部１０１１は、特定されたユーザの状態に基づいて、端末装置１０が不使用状態かどうかを判定する。
【００３４】
次に、端末装置１０の動作を説明する。
図３は、端末装置１０が実行する温度制御機能に関する全体的な処理の流れを示すフローチャートである。端末装置１０の制御部１０１は、端末装置１０の電源がオンされている期間においては、図３に示す処理を逐次実行するものとする。
制御部１０１は、温度センサ１０８から取得した温度データに基づいて、端末装置１０の温度の上昇を検知したかどうかを判定する（ステップＳ１）。例えば、制御部１０１は、単位時間における温度の上昇量が所定量以上であった場合に、ステップＳ１で「ＹＥＳ」で判定する。
なお、温度の上昇を検知していないと判定した期間においては（ステップＳ１；ＮＯ）、制御部１０１は、ステップＳ１の処理を繰り返し実行する。
【００３５】
ステップＳ１で「ＹＥＳ」と判定した場合、制御部１０１は、不使用状態判定処理を実行する（ステップＳ２）。不使用状態判定処理は、端末装置１０が不使用状態であるかを判定する処理である。この処理例については後で説明する。
【００３６】
次に、制御部１０１は、不使用状態判定処理の結果に基づいて、端末装置１０が不使用状態かどうかを判定する（ステップＳ３）。不使用状態でない、つまり使用状態と判定した場合（ステップＳ３；ＮＯ）、制御部１０１は、温度センサ１０８から取得した温度データに基づいて、端末装置１０の温度が第１閾値ＴＨ１に達したかどうかを判定する（ステップＳ４）。制御部１０１は、端末装置１０の温度が第１閾値ＴＨ１に達していないと判定した場合には（ステップＳ４；ＮＯ）、ステップＳ１に戻り、第１閾値ＴＨ１に達したと判定した場合には（ステップＳ４；ＹＥＳ）、発熱抑制処理を行う（ステップＳ６）。
【００３７】
図４は、発熱抑制処理を説明する図である。図４には、横軸を時間軸、縦軸を端末装置１０の温度としたグラフが示されている。図４に破線のグラフで示すように、時刻「０」から時刻「ｔ１１」において端末装置１０の温度の上昇が検知されず、時刻「ｔ１１」に温度の上昇が検知されたとする。この場合、制御部１０１は、端末装置１０の温度が第１閾値ＴＨ１に達する時刻「ｔ１２」までは、発熱抑制処理を行わない。そして、制御部１０１は、時刻「ｔ１２」になると、発熱抑制処理を開始する。制御部１０１は、前述した（１）−（５）のうちの１又は複数の方法で、発熱抑制処理を行う。
【００３８】
第１閾値ＴＨ１は、端末装置１０を把持して使用するユーザがやけどを発症しない程度の温度に決められている。ただし、端末装置１０が使用状態であるときには、仮に端末装置１０の温度をユーザが高いと感じたとしても、ユーザが、これを手放したり、別の手に持ち替えたりする等の対処が行う可能性は高い。
なお、制御部１０１は、例えば、端末装置１０の温度が所定の温度に低下するまで、又は所定時間が経過するまで、発熱抑制処理を行う。
【００３９】
図３に戻って説明する。
制御部１０１は、ステップＳ３で不使用状態と判定した場合には（ステップＳ３；ＹＥＳ）、温度センサ１０８から取得した温度データに基づいて、端末装置１０の温度が第２閾値ＴＨ２に達したかどうかを判定する（ステップＳ５）。第２閾値ＴＨ２は、第１閾値ＴＨ１よりも低い温度に決められている。そして、制御部１０１は、端末装置１０の温度が第２閾値ＴＨ２に達していないと判定した場合は（ステップＳ５；ＮＯ）、ステップＳ１に戻り、第２閾値ＴＨ２に達したと判定した場合は（ステップＳ５；ＹＥＳ）、発熱抑制処理を行う（ステップＳ６）。
【００４０】
図４に実線のグラフで示すように、時刻「０」から時刻「ｔ２１」において端末装置１０は温度の上昇が検知されず、時刻「ｔ２１」に温度の上昇が検知されたとする。この場合、制御部１０１は、端末装置１０の温度が第２閾値ＴＨ２に達する時刻「ｔ２２」までは、発熱抑制処理を行わない。そして、制御部１０１は、時刻「ｔ２２」になると、発熱抑制処理を開始する。ここにおいても、制御部１０１は、前述した（１）−（５）のうちの１又は複数の方法で、発熱抑制処理を行う。発熱抑制処理の方法は、使用状態の場合と同じであってもよいし、異なっていてもよい。後者の場合、制御部１０１は、不使用状態のときに、使用状態のときよりも多くの発熱抑制処理を行ってもよいし、特定の発熱抑制処理（例えば、「（５）端末装置１０の電源オフ。」）を優先して行ってもよい。
【００４１】
第２閾値ＴＨ２は、仮に、端末装置１０が長時間にわたってユーザの身体の同一の部位に接触したとしても、やけど（ここでは低温やけどを想定する。）を発症しない程度の温度に決められている。不使用状態の一例として、ユーザがポケットに端末装置１０を入れたまま、又は端末装置１０を手に持ったまま、眠ってしまった状態がある。この場合、端末装置１０の温度が極端に高くなければ、ユーザが温度の上昇に気付かず、これを保持し続ける可能性がある。つまり、低温やけどの発症のおそれは、端末装置１０が使用状態であるときよりも、不使用状態であるときの方が大きいともいえる。このため、端末装置１０は、不使用状態の期間にユーザがやけどを発症し得る温度に上昇しないように、不使用状態の期間において、使用状態の期間よりも温度閾値を低くしている。
【００４２】
次に、不使用状態判定処理の処理例を説明する。
＜処理例１＞
図５は、不使用状態判定処理の処理例１を示すフローチャートである。
まず、制御部１０１は、タイマーをセットする（ステップＳ２０１）。次に、制御部１０１は、加速度センサ１０９から、加速度データを取得する（ステップＳ２０２）。次に、制御部１０１は、近接センサ１１０から、接触状態データを取得する（ステップＳ２０３）。次に、制御部１０１は、近接センサ１１０により物体が接触していることを検知している期間において、端末装置１０が静止状態である期間が所定時間継続しているかどうかを判定する（ステップＳ２０４）。ステップＳ２０４で「ＹＥＳ」と判定した場合は、制御部１０１は不使用状態と判定する（ステップＳ２０５）。静止状態は、加速度データが端末装置１０の姿勢又は位置の変化がない、又はほとんどないことを示している状態である。このように判定する理由は、ユーザが端末装置１０を使用している場合、近接センサ１１０に物体が接触し、且つ端末装置１０の姿勢又は位置にほとんど変化がない状態が継続することは想定し難いからである。
【００４３】
ステップＳ２０４で「ＮＯ」と判定した場合は、制御部１０１は使用状態と判定する（ステップＳ２０６）。例えば、端末装置１０に物体の接触がなく、且つ端末装置１０に姿勢又は位置の変化がある場合、ユーザにより端末装置１０が使用されていると推定される。
【００４４】
＜処理例２＞
図６は、不使用状態判定処理の処理例２を示すフローチャートである。
まず、制御部１０１は、ユーザへの報知タイミングが到来したかどうかを判定する（ステップＳ２１１）。制御部１０１は、例えば、所定時間が経過する毎に、報知タイミングが到来したと判定する。又は、制御部１０１は、動画や音声等のコンテンツの再生中において、所定時間が経過する毎に、報知タイミングが到来したと判定してもよい。
【００４５】
ステップＳ２１１で「ＹＥＳ」と判定すると、制御部１０１は、ユーザへの報知を行う（ステップＳ２１２）。ここでは、制御部１０１は、所定の報知画面を表示部１０２１に表示させる。報知画面は、例えば、「現在使用中ですか？」というメッセージとともに、「はい。」というボタンが配置された画面である。この報知後、制御部１０１は、ユーザからの応答を示す操作を、タッチセンサ１０２２を介して受け付けたかどうかを判定する（ステップＳ２１３）。ここにおいて、制御部１０１は、「はい。」というボタンを選択する操作を受け付けた場合は、使用状態と判定する（ステップＳ２１５）。ステップＳ２１２の報知後、所定期間内に応答を示す操作を受け付けなかった場合は、制御部１０１は不使用状態と判定する（ステップＳ２１４）。
【００４６】
なお、ステップＳ２１２の報知は、報知画面の表示ではなく、端末装置１０の点灯ランプの点灯、スピーカ１０６を介した通知音の出力、バイブレーション機能の作動、表示部１０２１のバックライトの点灯又は消灯等によって行われてもよい。この場合も、制御部１０１は、この報知後に受け付けたユーザの操作を、当該報知に対する操作として、不使用状態と使用状態とのどちらであるかを判定すればよい。
【００４７】
ユーザが端末装置１０を使用している場合、ステップＳ２１２の報知があれば、ユーザはその報知に気付くと考えられる。よって、制御部１０１は、報知に対するユーザからの応答に基づいて、不使用状態の期間を判定することが可能である。例えば、端末装置１０が机等に固定された状態で、ユーザが端末装置１０を用いてコンテンツを視聴している場合、端末装置１０に姿勢及び位置の変化は生じない。また、端末装置１０の固定の仕方によっては、近接センサ１１０により物体の接触が検知される可能性もある。このような場合でも、処理例２によれば、制御部１０１は、不使用状態の期間を判定することができる。
【００４８】
処理例１と処理例２とを組み合わせた不使用状態判定処理が行われてもよい。
この場合、制御部１０１は、図５のステップＳ２０４で「ＹＥＳ」と判定した場合に、ステップＳ２１２の報知を行い、ユーザからの応答を示す操作を受け付けなかったときには、不使用状態と判定する。制御部１０１は、ステップＳ２０４で「ＹＥＳ」と判定した場合でも、ステップＳ２１２の報知を行い、ユーザからの応答を示す操作を受け付けたときには、使用状態と判定する。これにより、端末装置１０の使用状態と不使用状態をより正確に判定できる。
【００４９】
＜処理例３＞
図７は、不使用状態判定処理の処理例３を示すフローチャートである。
まず、制御部１０１は、端末装置１０の状態を特定する（ステップＳ２２１）。端末装置１０の状態として、前述した、端末装置１０の電力消費に関するモード、表示部１０２１におけるバックライトの点灯又は消灯、画像の表示の有無、操作の受け付けの有無がある。
【００５０】
次に、制御部１０１は、特定した端末装置１０の状態が不使用条件を満たしたかどうかを判定する（ステップＳ２２２）。端末装置１０のモードに対応する不使用条件は、端末装置１０がスリープモードのような低消費電力化を目的としたモードであることを示す。また、これ以外の不使用条件として、バックライトが消灯していること、表示部１０２１において画像が表示されていないこと、所定時間継続して操作が受け付けられていないことを示す条件がある。
【００５１】
制御部１０１は、端末装置１０の状態が不使用条件を満たしたと判定した場合は（ステップＳ２２２；ＹＥＳ）、不使用状態と判定し（ステップＳ２２３）、不使用条件を満たさないと判定した場合は（ステップＳ２２２；ＮＯ）、使用状態と判定する（ステップＳ２２４）。
以上説明したように、端末装置１０の状態から間接的に、端末装置１０がユーザに使用されていないことを示す不使用状態を判定することもできる。
【００５２】
＜処理例４＞
図８は、不使用状態判定処理の処理例４を示すフローチャートである。
まず、制御部１０１は、端末装置１０のユーザの状態を特定する（ステップＳ２３１）。ユーザの状態は、例えば、端末装置１０の周辺のユーザの存在の有無や、ユーザの位置、ユーザの身体の動き等がある。例えば、制御部１０１は、撮像部１１１から取得した撮像データに基づいて、撮像画像を解析し、ユーザの顔を認識する処理を行う。制御部１０１は、測位部１１２から取得した位置データに基づいて、ユーザの位置を特定してもよい。制御部１０１は、ユーザが使用するウェアラブル型端末と近距離無線通信部１０４を介して近距離無線通信を行い、ユーザの身体の動きを示すデータを取得することで、ユーザの身体の動きを特定してもよい。
【００５３】
次に、制御部１０１は、特定したユーザの状態が、不使用条件を満たしたかどうかを判定する（ステップＳ２３２）。撮像データに対応する不使用条件は、撮像範囲からユーザの顔を認識することを示す。例えば、撮像範囲からユーザの顔が認識された場合、そのユーザが、表示領域１０２１Ａの画像を視認していると推定される。一方、ユーザの顔が認識されない場合、そのユーザが表示領域１０２１Ａの画像を視認しておらず、端末装置１０を使用しているとは言い難いので、不使用状態と判定される。位置データに対応する不使用条件は、ユーザの寝室等の特定の位置を示すこと、又は長時間同じ位置を示すことである。端末装置１０の位置が寝室である場合、ユーザが就寝しており、端末装置１０を使用していない可能性が高いからである。また、位置データが長時間同じ位置を示す場合、ユーザも移動していない又は端末装置１０を携帯していないと推定されるので、不使用状態と判定される。ユーザの身体の動きに対応する不使用条件は、所定時間継続してユーザの身体の動きがない又はほとんどないことを示す。ユーザの身体の動きが継続してない又はほとんどない場合、ユーザが端末装置１０を使用しているとは考え難いからである。
【００５４】
そして、制御部１０１は、ユーザの状態が不使用条件を満たしたと判定した場合は（ステップＳ２３２；ＹＥＳ）、不使用状態と判定し（ステップＳ２３３）、不使用条件を満たさないと判定した場合は（ステップＳ２３２；ＮＯ）、使用状態と判定する（ステップＳ２３４）。
以上説明したように、端末装置１０のユーザの状態から、端末装置１０がユーザに使用されていないことを示す不使用状態を判定することもできる。
【００５５】
なお、処理例３，４は、処理例１又は処理例２と組み合わされてもよい。この場合、全ての処理例に基づいて不使用状態と判定した場合に、制御部１０１は最終的に不使用状態と判定する。
【００５６】
以上説明したとおり、ユーザが端末装置１０を使用していない場合に、端末装置１０は温度閾値を低くして発熱抑制処理を行う。よって、ユーザの気付かぬうちに、端末装置１０の温度がやけどを発症し得る温度に上昇してしまうのを防ぐことができる。また、ユーザが端末装置１０を使用しているときには、使用していないときよりも温度閾値が高く設定されているので、ユーザによる端末装置１０の使用は妨げられにくくなる。
【００５７】
［変形例］
本発明は、上述した実施形態と異なる形態で実施することが可能である。本発明は、例えば、以下のような形態で実施することも可能である。また、以下に示す変形例は、各々を適宜に組み合わせてもよい。
上述した実施形態の処理例１は、以下のように変形されてもよい。
制御部１０１は、加速度データに基づいて、ユーザの歩行や乗物による移動等の行動のパターンを推定してもよい。そして、制御部１０１は、推定した行動パターンと、接触状態データとに基づいて、不使用状態かどうかを判定する。例えば、制御部１０１は、ユーザの歩行を検知し、且つ物体の接触を検知した状態が所定時間継続した場合は、不使用状態と判定する。この場合、ユーザが端末装置１０をポケットに入れて歩行していると推定されるからである。
【００５８】
上述した不使用状態判定処理の処理例１−４は、あくまで一例である。例えば、不使用状態判定処理において、時刻（時間帯）の情報が用いられてもよい。制御部１０１は、現在の時刻から、現時点においてユーザが端末装置１０を使用する可能性を判定し、その可能性に基づいて不使用状態かどうかを判定する。制御部１０１は、時刻毎に端末装置１０の操作の履歴を収集しておき、その履歴を解析し、時刻毎にユーザが端末装置１０を使用する可能性を判定する。そして、制御部１０１は、上述した実施形態の方法で使用状態と判定した場合でも、時刻に基づき、ユーザが端末装置１０を使用する可能性が低い場合には、最終的に不使用状態と判定してもよい。
なお、端末装置１０は、実行しない不使用状態判定処理に不要な構成については、これを備えなくてよい。
また、制御部１０１は、使用状態において温度抑制処理を行わなくてもよい。
また、制御部１０１は、少なくとも、不使用状態であるか又は不使用状態でないかを判定すればよく、使用状態であることを判定しなくてもよい。
【００５９】
端末装置１０は、スマートフォンに限られず、各種のウェアラブル型端末や、フィーチャーフォン等の、携帯型の端末装置であってもよい。
上述した各実施形態の端末装置１０の制御部１０１が実現する機能は、複数のプログラムの組み合わせによって実現され、又は、複数のハードウェア資源の連係によって実現され得る。制御部１０１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読み取り可能な記録媒体に記憶した状態で提供されてもよいし、ネットワークを介して配信されてもよい。また、本発明は、温度制御方法として把握することも可能である。
【符号の説明】
【００６０】
１０１…制御部、１０１１…判定部、１０１２…抑制制御部、１０１３…報知部、１０１４…応答受付部、１０１５…端末状態特定部、１０１６…ユーザ状態特定部、１０２…タッチスクリーン部、１０２１…表示部、１０２２…タッチセンサ、１０３…ネットワーク通信部、１０４…近距離無線通信部、１０５…マイクロホン、１０６…スピーカ、１０７…記憶部、１０８…温度センサ、１０９…加速度センサ、１１０…近接センサ、１１１…撮像部、１１２…測位部、１１３…クロック信号生成部、１１４…電源制御部、１１５…電池。
【図１】
0006600579.tif 000002
【図２】
0006600579.tif 000003
【図３】
0006600579.tif 000004
【図４】
0006600579.tif 000005
【図５】
0006600579.tif 000006
【図６】
0006600579.tif 000007
【図７】
0006600579.tif 000008
【図８】
0006600579.tif 000009